(57)【要約】【課題】引戸等の開口部装置の上部に設置される無目カバーの固定構造について、新規な構造を提案する。【解決手段】開口部装置１の上部に設けられる無目カバー７の固定構造であって、無目カバー７の上端部には、前記開口部装置の上枠に設けられる被固定部に対して係合されるためのカバー上係合部７１が形成され、無目カバー７の下端部には、前記開口部装置の縦枠、又は、前記開口部装置が設置される開口部の壁面に設けられる被固定部に対して係合されるためのカバー下係合部７２が形成され、前記無目カバーが上部及び下部において係合固定される、構成とする。【選択図】図２
2015132097.tif 000002
【特許請求の範囲】
【請求項１】
開口部装置の上部に設けられる無目カバーの固定構造であって、
前記無目カバーの上端部には、前記開口部装置の上枠に設けられる被固定部に対して係合されるためのカバー上係合部が形成され、
前記無目カバーの下端部には、前記開口部装置の縦枠、又は、前記開口部装置が設置される開口部の壁面に設けられる被固定部に対して係合されるためのカバー下係合部が形成され、
前記無目カバーがその上部及び下部において係合固定される、無目カバーの固定構造。
【請求項２】
前記無目カバーは板状部材で構成され、板状部材の下端部にて前記カバー下係合部が構成されるものであり、
前記カバー下係合部は前記被固定部に設けられる差込溝に差し込んで係合される、
ことを特徴とする請求項１に記載の無目カバーの固定構造。
【請求項３】
前記無目カバーは板状部材で構成され、板状部材の裏側面に前記カバー下係合部としての裏側係合部が構成されるものであり、
前記裏側係合部には固定部材が取り付けられ、
前記被固定部に対し、前記固定部材を介して無目カバーの下端部が係合される、
ことを特徴とする請求項１に記載の無目カバーの固定構造。
【請求項４】
前記無目カバーのカバー上係合部は、
前記開口部装置の上枠に設けられる被固定部に対し、
回動可能に係合される、
ことを特徴とする請求項１乃至請求項３のいずれか一項に記載の無目カバーの固定構造。
【発明の詳細な説明】
【技術分野】
【０００１】
本発明は、引戸等の開口部装置の上部に設置される無目カバーの固定構造に関する。
【背景技術】
【０００２】
従来、手動式の引戸や自動ドアなどの開口部装置の上部に無目カバーが設置される構成が知られており、これについて開示する文献も存在する（例えば、特許文献１参照。）。
【０００３】
特許文献１の構成では、開口部装置の上枠にレールが設けられ、レールに吊車を介して戸体（障子）が吊り下げられる構成としている。上枠は見込方向において片側が開放されることで、レールに対する戸体の吊り込みが可能な構成とされると共に、吊り込み後は無目カバーを取り付けることで、レールや吊車を隠すことができるようになっている。
【０００４】
特許文献１に開示される構成のほか、自動ドアなどの構成においては駆動装置などの機械類のメンテナンスが必要なものとなる。このため、無目カバーは、着脱可能に設けられることが一般的であり、無目カバーはビスなどを用いた固定が行われるものである。この点、特許文献１では、無目カバーの見付面にビスを挿し込んで固定する構造が開示されている。
【先行技術文献】
【特許文献】
【０００５】
【特許文献１】特開２００７−１８６８８９号公報
【発明の概要】
【発明が解決しようとする課題】
【０００６】
しかしながら、無目カバーの見付面にビス固定の部位が存在すると、ビスが外観に現れることになり、意匠の美観を損なうこととなる。
【０００７】
また、無目カバーの見付面にビス固定のための穴加工が必要となり、施工現場で無目カバーを切り詰めて寸法調整を行った場合には、その都度、切り詰め後の寸法に適した位置に穴加工をすることが必要とされるため、施工性が悪いものとなってしまう。
【０００８】
そこで、本発明は以上の問題点に鑑み、引戸の等の開口部装置の上部に設置される無目カバーの固定構造について、新規な構造を提案するものである。
【課題を解決するための手段】
【０００９】
本発明の解決しようとする課題は以上の如くであり、次にこの課題を解決するための手段を説明する。
【００１０】
即ち、請求項１に記載のごとく、開口部装置の上部に設けられる無目カバーの固定構造であって、前記無目カバーの上端部には、前記開口部装置の上枠に設けられる被固定部に対して係合されるためのカバー上係合部が形成され、前記無目カバーの下端部には、前記開口部装置の縦枠、又は、前記開口部装置が設置される開口部の壁面に設けられる被固定部に対して係合されるためのカバー下係合部が形成され、前記無目カバーがその上部及び下部において係合固定される、無目カバーの固定構造とする。
【００１１】
また、請求項２に記載のごとく、
前記無目カバーは板状部材で構成され、板状部材の下端部にて前記カバー下係合部が構成されるものであり、
前記カバー下係合部は前記被固定部に設けられる差込溝に差し込んで係合される、構成とする。
【００１２】
また、請求項３に記載のごとく、
前記無目カバーは板状部材で構成され、板状部材の裏側面に前記カバー下係合部としての裏側係合部が構成されるものであり、
前記裏側係合部には固定部材が取り付けられ、
前記被固定部に対し、前記固定部材を介して無目カバーの下端部が係合される、構成とする。
【００１３】
また、請求項４に記載のごとく、前記無目カバーのカバー上係合部は、前記開口部装置の上枠に設けられる被固定部に対し、回動可能に係合される、こととしている。
【発明の効果】
【００１４】
本発明の効果として、以下に示すような効果を奏する。
【００１５】
即ち、請求項１に記載の発明においては、無目カバーの見付面にビスなどの固定具による固定部位が存在せず、ビスなどの固定具が外観に現れることによって、意匠の美観が損なれてしまうことがない。また、施工現場で無目カバーを切り詰めて寸法調整を行った場合でも、穴加工が不要なため、施工性に優れた構成が実現できる。また、無目カバーが上下２箇所で係合固定されるため、上枠に対して無目カバーが固定された状態を確実に維持することができる。
【００１６】
また、請求項２に記載の発明においては、差込溝に差し込んで係合される構成とすることにより、無目カバーをシンプルな板状部材で構成するとともに、カバー下係合部について特別な部位を形成する必要がない。
【００１７】
また、請求項３に記載の発明においては、無目カバーの裏面側に固定部材などが隠される構成となり、無目カバーの表面側に他の部材が現れることがなく、より意匠性の高い構成が実現される。
【００１８】
また、請求項４に記載の発明においては、無目カバーを開く操作、或いは、閉じる操作が行い易くなり、施工性に優れた構成を実現できる。
【図面の簡単な説明】
【００１９】
【図１】本発明を適用する開口部装置の構成例について示す図である。
【図２】開口部装置の上枠の構造について示す断面図である。
【図３】（Ａ）は無目カバーの上端部の構成について説明する図である。（Ｂ）は無目カバーを回動させた状態について示す図である。
【図４】（Ａ）は無目カバーの下部を固定する固定部材の構成について示す図である。（Ｂ）は無目カバーの下部を固定した状態について示す図である。
【図５】（Ａ）は無目カバーの下部を固定するための他の構成の無目カバーの裏側外観を示す図である。（Ｂ）は無目カバーの下部を固定するための他の構成の無目カバーの表側外観を示す図である。
【発明を実施するための形態】
【００２０】
図１は、本発明が適用可能な開口部装置１の全体構造を示すものである。開口部装置１は、開口部枠２と、スライド可能な複数枚の引戸３を有している。
【００２１】
開口部枠２は、左右にそれぞれ縦方向に配置される縦枠２１，２２と、上部に横方向に配置される上枠２３と、を有して構成されている。上枠２３の見付面には、無目カバー７が設置されている。
【００２２】
引戸３は、縦枠（縦框）３１，３２、上枠（上框）３３、下枠（下框）３４を枠組み（框組み）してガラス板などの面材３０を取り囲んで構成される。なお、引戸３は、框戸で構成するほか、面材そのものを戸体とすることも考えられる。また、本実施例の引戸３は、戸車３８によって吊り下げられた状態で設置される吊戸として構成されている。
【００２３】
引戸３の上枠３３には戸車３８が設けられ、この戸車３８が上枠２３に設けたレール上に配置されつつガイドされることで、引戸３の上部が上枠３３によってガイドされる。
【００２４】
なお、本発明では複数枚（２枚）の引戸３と袖壁４（ＦＩＸ窓）を備える構成としているが、引き違いの２枚の引戸を有する構成などについても本発明を適用することができる。
【００２５】
図２は、開口部装置１の上枠２３の構造について示す断面図である。
開口部装置１の上枠２３は、天井面１０に付設される長尺の部材にて構成されており、天井面１０に対向する上面部２３ａと、上面部２３ａの見込方向Ｍの両端部において上方に立ち上げられて天井面１０に接触する上片部２３ｂ，２３ｃと、上面部２３ａの見込方向Ｍの略中央部から下方に垂設される縦面部２３ｄと、縦面部２３ｄの中途部において見込方向Ｍに両側に略水平に延設して設けられるレール部２３ｅ，２３ｆと、を有する構成としている。
【００２６】
上枠２３のレール部２３ｅ，２３ｆには、引戸３，４の戸車３８がそれぞれ載置されており、引戸３，４の開閉操作がされる際には、レール部２３ｅ，２３ｆ上で戸車３８が転動するように構成される。
【００２７】
引戸３において、戸車３８は上下方向に配設される連結部材３８ａを介して引戸３の上枠３３に連結され、上枠３３の上方にレール部２３ｅを介して戸車３８が配置される位置関係とされている。引戸４においても同様の配置としている。
【００２８】
引戸３，４が取り付けられた開口部装置の上枠２３の両側の見付面部には、それぞれ板状の無目カバー７が取り付けられ、この無目カバー７の内側にレール部２３ｅ，２３ｆや、戸車３８、連結部材３８ａなどが収容される。
【００２９】
無目カバー７は、その上端が上片部２３ｂ，２３ｃと連続する位置に配置され、上片部２３ｂ，２３ｃと一連の見付面を構成している。これにより、天井面１０から引戸３，４の上枠３３にかけての外観が無目カバー７によって構成される。
【００３０】
無目カバー７の下端は、引戸３，４の上枠３３の上部にかかる位置に配置されることで、無目カバー７と上枠３３の見付面同士が重なるようになっている。これにより、見付面を見た場合に上枠３３と無目カバー７の間に隙間が生じてしまうことがない。
【００３１】
図３（Ａ）（Ｂ）は、無目カバー７の上端部の構造の詳細について説明する断面図である。
無目カバー７の上端部には、カバー上係合部７１が設けられる。カバー上係合部７１は、上枠２３の上面部２３ａと上片部２３ｂのコーナー部に設けた枠側係合部２６に係合される。
【００３２】
カバー上係合部７１は、無目カバー７の縦面部７ａの裏側から斜め上方に延出する下片部７１ａと、下片部７１ａの上方において無目カバー７の縦面部７ａの裏側から略水平に延出する上片部７１ｂと、下片部７１ａと上片部７１ｂの間に形成される溝部７１ｃと、を有している。
【００３３】
枠側係合部２６は、無目カバー７の下片部７１ａの上面に接触する接触面部２６ａと、接触面部２６ａの先端部にて構成され無目カバー７の溝部７１ｃに嵌入される嵌入部２６ｂと、無目カバー７の上片部７１ｂが嵌入される溝部２６ｃと、を有している。
【００３４】
無目カバー７の下片部７１ａの上面と、枠側係合部２６の接触面部２６ａの下面は、側断面視において上枠２３の見込方向Ｍの中心側から外側に向かって低くなる円弧面で形成されている。
【００３５】
以上の構成において、図３（Ｂ）に示すごとく、無目カバー７のカバー上係合部７１は、上枠２３の枠側係合部２６に対して回動可能に嵌合される。回動操作がされる際には、カバー上係合部７１の下片部７１ａの上面と、枠側係合部２６の接触面部２６ａの下面が円弧面で形成されて互いに摺接するため、無目カバー７を上枠２３に押し当てながら無目カバー７を回動させることができ、施工性に優れた構成が実現される。仮に、このような摺接しながらの回動がなされない場合には、無目カバー７が上枠２３から容易に分離してしまうことになり、施工性が劣ることになる。
【００３６】
また、カバー上係合部７１の下片部７１ａの上面と、枠側係合部２６の接触面部２６ａの下面が円弧面で形成されて互いに接触する構成とすることで、両者を平坦面で構成する場合と比較して両者の接触面積を広く確保することができ、上枠２３に対する無目カバー７の固定強度を高めることができる。
【００３７】
さらに、上枠２３と無目カバー７がアルミ押出成形品、或いは、樹脂成形品で構成されることとし、上枠２３の枠側係合部２６と、無目カバー７のカバー上係合部７１が、それぞれ長手方向に連続的に形成される構成とすることにより、施工現場で切り詰めによる寸法調整を行っても枠側係合部２６やカバー上係合部７１がいずれの箇所にも存在するため、新たな加工が必要とされることがなく、施工性に優れた構成が実現できる。
【００３８】
図４（Ａ）（Ｂ）に示すごとく、無目カバー７の下端部はカバー下係合部７２（本実施例では板状の無目カバー７の下端部）として構成され、カバー下係合部７２が固定部材８０に対して固定される。この実施例では、固定部材８０は縦枠２１,２２（図１参照）に固定される固定片部８０ａと、無目カバー７の裏面側に当接する当接片部８０ｂと、当接片部８０ｂの下部に構成される差込溝８０ｃと、を有する構成としている。なお、固定部材８０は、開口部装置の縦枠２１,２２（図１参照）に固定されるほか、開口部装置が設置される箇所の壁などに設置することが可能であり、特に限定されるものではない。
【００３９】
固定部材８０の差込溝８０ｃは、無目カバー７の長手方向Ｎと同一方向となるように形成されており、無目カバー７を着脱する際には、無目カバー７を若干撓ませて差込溝８０ｃに無目カバー７のカバー下係合部７２を差し込む、或いは、抜き出すといった操作が行われる。
【００４０】
また、無目カバー７のカバー下係合部７２を固定部材８０の差込溝８０ｃに差し込んで固定する構成とすることで、施工現場で切り詰めによる寸法調整を行っても無目カバー７のカバー下係合部７２について新たな加工が必要とされることがなく、施工性に優れた構成が実現できる。
【００４１】
図５（Ａ）（Ｂ）は、無目カバー７のカバー下係合部７２の他の固定形態の例であり、無目カバー７の縦面部７ａの裏側に、固定部材８２が配置される構成とするものである。この固定部材８２は、開口部装置の縦枠２１,２２（図１参照）に固定される形態とするほか、開口部装置が設置される箇所の壁などに設置することが可能であり、特に限定されるものではない。
【００４２】
固定部材８２は、開口部装置の縦枠２１,２２（図１参照）などに対して固定される固定片部８２ａと、無目カバー７に対して固定される取付片部８２ｂを有する略Ｌ字状の部材にて構成することができる。
【００４３】
本実施例では、固定部材８２の取付片部８２ｂは、無目カバー７の縦面部７ａの裏側に連続的に形成される溝状の裏側係合部７４に挿入固定される構成としている。これにより、施工現場で切り詰めによる寸法調整を行っても無目カバー７について固定部材８２を取り付けるための新たな加工が必要とされることがなく、施工性に優れた構成が実現できる。
【００４４】
以上のようにして本発明を実施することができる。
即ち、図２に示すごとく、
開口部装置１の上部に設けられる無目カバー７の固定構造であって、
無目カバー７の上端部には、開口部装置１の上枠２３に設けられる被固定部（図３（Ａ）の例では枠側係合部２６）に対して係合されるためのカバー上係合部７１が形成され、
無目カバー７の下端部には、被固定部（図４（Ａ）の例では固定部材８０）に対して係合されるためのカバー下係合部７２が形成され、無目カバー７がその上部及び下部において係合固定される、構成とするものである。
【００４５】
この構成により、無目カバー７の見付面にビスなどの固定具による固定部位が存在せず、ビスなどの固定具が外観に現れることによって、意匠の美観が損なれてしまうことがない。また、施工現場で無目カバー７を切り詰めて寸法調整を行った場合でも、穴加工が不要なため、施工性に優れた構成が実現できる。また、無目カバー７が上下２箇所で係合固定されるため、上枠２３に対して無目カバー７が固定された状態を確実に維持することができる。
【００４６】
また、図４（Ａ）（Ｂ）に示すごとく、
無目カバー７は板状部材で構成され、板状部材の下端部にてカバー下係合部７２が構成されるものであり、
カバー下係合部７２は被固定部に設けられる差込溝８０ｃに差し込んで係合される、構成とするものである。
【００４７】
このように、差込溝８０ｃに差し込んで係合される構成とすることにより、無目カバー７をシンプルな板状部材で構成するとともに、カバー下係合部７２について特別な部位を形成する必要がない。
【００４８】
また、図５（Ａ）（Ｂ）に示すごとく、
無目カバー７は板状部材で構成され、板状部材の裏側面にカバー下係合部としての裏側係合部７４が構成されるものであり、
裏側係合部７４には固定部材８２が取り付けられ、
被固定部に対し、固定部材８２を介して無目カバー７の下端部が係合される、こととしている。
【００４９】
この構成により、無目カバー７の裏面側に固定部材８２などが隠される構成となり、無目カバー７の表面側に他の部材が現れることがなく、より意匠性の高い構成が実現される。
【００５０】
また、無目カバー７のカバー上係合部７１は、記開口部装置２の上枠２３に設けられる被固定部（図３（Ａ）の例では枠側係合部２６）に対し、回動可能に係合される、こととしている。
【００５１】
これにより、無目カバー７を開く操作、或いは、閉じる操作が行い易くなり、施工性に優れた構成を実現できる。
【産業上の利用可能性】
【００５２】
本発明の構成は、引戸などの開口部装置の無目カバーの構成として、幅広く適用することが可能である。
【符号の説明】
【００５３】
１    開口部装置
２    開口部枠
３    引戸
７    無目カバー
２３    上枠
２６    枠側係合部
７１    カバー側係合部
８０    固定部材
【図１】
2015132097.tif 000003
【図２】
2015132097.tif 000004
【図３】
2015132097.tif 000005
【図４】
2015132097.tif 000006
【図５】
2015132097.tif 000007